(57)【特許請求の範囲】
【請求項１】
躯体の柱に支持部材を介してコーナーパネルを取り付ける取付構造であって、
前記コーナーパネルは、二つの片を９０度で交差させて形成され出隅部に配置されるものであって且つ当該二つの片の頂点となるパネルの頂点から裏面側に向けて４５度方向に形成された貫通孔を有し、
前記支持部材は、９０度方向に配置された二つの接触片を有し、且つ、前記コーナーパネルを締結するボルトを垂直軸廻りに回動可能に支持すると共に前記柱に垂直軸廻りに回動可能に支持され、
前記支持部材の接触面に前記コーナーパネルの裏面をそれぞれ接触させた状態で当該コーナーパネルの貫通孔に前記支持部材に回動可能に支持されるボルトを挿通して締結することで、前記コーナーパネルを前記柱に取り付ける
ことを特徴とするコーナーパネルの取付構造。
【請求項２】
前記柱は、前記コーナーパネルの互いに直交する一対の小口面にそれぞれ対向する一対の起立片を有し、前記コーナーパネルは、前記ボルト又は支持部材を回動させて前記一対の小口面をそれぞれ起立片に密着又は対向させた状態で柱に取付けられていることを特徴とする請求項１に記載のコーナーパネルの取付構造。
【請求項３】
躯体の柱に固定金具を介してコーナーパネルを取り付ける取付構造であって、
前記コーナーパネルは、二つの片を９０度で交差させて形成され出隅部に配置されるものであって且つ当該二つの片の頂点となるパネルの頂点から裏面側に向けて４５度方向に形成された貫通孔を有し、
前記固定金具は、９０度方向に配置された二つの接触片を有し、且つ、前記コーナーパネルを締結するボルトを回動不能に支持すると共に前記柱に垂直軸廻りに回動可能に支持され、
前記固定金具の接触面に前記コーナーパネルの裏面をそれぞれ接触させた状態で当該コーナーパネルの貫通孔に前記固定金具に支持されるボルトを挿通して締結することで、前記コーナーパネルを前記柱に取り付ける
ことを特徴とするコーナーパネルの取付構造。
【請求項４】
前記柱には、上下一対の固定金具が同一の垂直軸廻りに回動可能に取付けられており、前記コーナーパネルは、当該一対の固定金具を介して前記柱に締結されていることを特徴とする請求項３に記載のコーナーパネルの取付構造。
【請求項５】
躯体の柱にコーナーパネルを取り付ける取付構造であって、柱の角部に該角部に沿った軸を中心として回動可能な固定ボルトを設けた柱固定金具と、コーナーパネルに於ける前記柱に対向する面に取り付けられ直角に配置されると共に夫々雌ネジを形成した２つの片を有するパネル固定金具と、前記パネル固定金具に設けた雌ネジに螺合し先端が柱に当接してコーナーパネルの柱の表面からの距離を調整する調整ネジと、を有し、予めコーナーパネルの角部に形成された孔に前記柱固定金具の固定ボルトを挿通すると共に前記パネル固定金具の２つの片に形成した雌ネジに調整ネジを螺合し、該調整ネジの先端を柱の表面に当接させてコーナーパネルの柱に対する距離を調整した後、固定ボルトにナットを締結してコーナーパネルを柱に取り付けることを特徴とするコーナーパネルの取付構造。
【請求項６】
柱の角部に該角部に沿った軸を中心として回動可能な固定ボルトを設けた柱固定金具と、コーナーパネルの柱に対向する面に取り付けられ直角に配置されると共に夫々雌ネジを形成した２つの片を有するパネル固定金具と、前記パネル固定金具に設けた雌ネジに螺合し先端が柱に当接してコーナーパネルの柱の表面からの距離を調整する調整ネジと、を有することを特徴とするコーナーパネルの取付金具。
【発明の詳細な説明】
【０００１】
【発明の属する技術分野】
本発明は、建物の隅部に配置されるコーナーパネルと、該コーナーパネルを柱に取り付ける際に有利な取付構造と、この取付構造を実現するのに有利な取付金具とに関するものである。
【０００２】
【従来の技術】
中低層住宅を含む建物では、軽量気泡コンクリート（ＡＬＣ）パネルやプレキャストコンクリート（ＰＣ）パネル等からなる壁パネルを躯体を構成する梁に取り付けると共に、隅部では該隅部に配置された柱に外壁と同一の材質を持ったコーナーパネルを取り付けて外壁を構成することが行われている。
【０００３】
コーナーパネルを躯体を構成する柱に取り付ける際の代表的な構造（第１公知例）について図12により説明する。図に示すように、予め柱51に取付座52ａを有する固定金具52を取り付けておき、コーナーパネル53の２つの片53ａであって取付座52ａと対向する位置に孔53ｂを形成し、該孔53ｂにボルト54を挿通すると共に取付座52ａに締結することで、コーナーパネル53を柱51に取り付けている。
【０００４】
上記コーナーパネルの取付構造では、コーナーパネル53の裏面53ｃが固定金具52の取付座52ａに当接して固定されるため、該コーナーパネル53の柱51からの距離は一義的に設定される。特に、この取付構造では、コーナーパネル53を構成する各片53ａに対し夫々直交する方向に孔53ｂが形成されており、夫々の孔53ａにボルト54を挿通している。
【０００５】
またコーナーパネルを躯体に取り付ける他の取付構造（例えば特許文献１参照、第２公知例）は、直交する二つの片の裏面に於ける交点から表面側の頂点に向けて４５度方向に水平な穴を形成すると共にナットを配置したコーナーパネルと、コーナーパネルの二つの裏面に当接するフランジとこれらのフランジを接続するパネル取付用フランジを有する取付金具を有し、コーナーパネルの穴に配置した前記ナットに裏面側からボルトを挿通して締結することで躯体に取り付けるように構成されている。
【０００６】
上記取付構造では、予めボルトによってコーナーパネルの裏面側に取付金具を取り付けておき、その後、コーナーパネルを出隅部に配置して取付金具のフランジを躯体に溶接或いはボルトを用いて固定している。このため、コーナーパネルを取り付けるための工数を削減することが可能となり、且つコーナーパネルの美観を維持することが出来る。
【０００７】
【特許文献１】
特開平１０−３３８９８２号公報
【０００８】
【発明が解決しようとする課題】
上記第１公知例では、柱に取り付けたコーナーパネルでは、柱からの距離を調整する機能がないため、取り付けるべき柱の柱なりにしか固定し得ないという問題があり、柱に固定したコーナーパネルと、梁に取り付けた壁パネルとの間に段違いが生じたような場合、壁パネル側で調整せざるを得なかった。
【０００９】
このため、外壁を構成する場合、先ずコーナーパネルを柱に取り付けた後、該コーナーパネルを基準として壁パネルの取り付けを行うようにしており、工程順序が制限されるという問題が生じている。
【００１０】
また特殊な構造として柱の周囲に複数のコーナーパネルを取り付けて、独立した柱を構成したり、壁の張出部を構成することがあるが、この場合、取り付けるべきコーナーパネルの数に応じて固定方法が異なってしまうという問題もあった。
【００１１】
また第２公知例では、コーナーパネルを出隅部の躯体に取り付ける場合、取付金具を躯体に溶接或いはボルトによる固定するため、建物の外壁を構成する際は外壁パネルを取り付けるのに先立って作業を行う必要がある。即ち、外壁を構成する際の施工順序の自由度が小さいという問題がある。
【００１２】
また取付金具が直交する二つの躯体取付用フランジを有し、これらのフランジを躯体に固定してコーナーパネルを取り付けるため、取り付けられたコーナーパネルの位置や方向は取付金具の躯体に対する固定姿勢によって決まり、取付位置や取付方向を調整する自由度が小さいという問題もある。
【００１３】
本発明の目的は、出隅部にコーナーパネルを取り付ける際に、施工順序の自由度を高めることが出来るコーナーパネルと、該コーナーパネルの柱からの距離を調整し得る取付構造と、この取付構造を実現する取付金具を提供することにある。
【００１４】
【課題を解決するための手段】
上記課題を解決するために本発明に係る第１のコーナーパネルの取付構造は、躯体の柱に支持部材を介してコーナーパネルを取り付ける取付構造であって、前記コーナーパネルは、二つの片を９０度で交差させて形成され出隅部に配置されるものであって且つ当該二つの片の頂点となるパネルの頂点から裏面側に向けて４５度方向に形成された貫通孔を有し、前記支持部材は、９０度方向に配置された二つの接触片を有し、且つ、前記コーナーパネルを締結するボルトを垂直軸廻りに回動可能に支持すると共に前記柱に垂直軸廻りに回動可能に支持され、前記支持部材の接触面に前記コーナーパネルの裏面をそれぞれ接触させた状態で当該コーナーパネルの貫通孔に前記支持部材に回動可能に支持されるボルトを挿通して締結することで、前記コーナーパネルを前記柱に取り付けるものである。
【００１５】
上記第１のコーナーパネルの取付構造において、前記柱は、前記コーナーパネルの互いに直交する一対の小口面にそれぞれ対向する一対の起立片を有し、前記コーナーパネルは、前記ボルト又は支持部材を回動させて前記一対の小口面をそれぞれ起立片に密着又は対向させた状態で柱に取付けられていることが好ましい。
【００１６】
また本発明に係る第２のコーナーパネルの取付構造は、躯体の柱に固定金具を介してコーナーパネルを取り付ける取付構造であって、前記コーナーパネルは、二つの片を９０度で交差させて形成され出隅部に配置されるものであって且つ当該二つの片の頂点となるパネルの頂点から裏面側に向けて４５度方向に形成された貫通孔を有し、前記固定金具は、９０度方向に配置された二つの接触片を有し、且つ、前記コーナーパネルを締結するボルトを回動不能に支持すると共に前記柱に垂直軸廻りに回動可能に支持され、前記固定金具の接触面に前記コーナーパネルの裏面をそれぞれ接触させた状態で当該コーナーパネルの貫通孔に前記固定金具に支持されるボルトを挿通して締結することで、前記コーナーパネルを前記柱に取り付けるものである。
【００１７】
上記第２のコーナーパネルの取付構造において、前記柱には、上下一対の固定金具が同一の垂直軸廻りに回動可能に取付けられており、前記コーナーパネルは、当該一対の固定金具を介して前記柱に締結されていることが好ましい。
【００１８】
上記取付構造では、躯体には予め接触金具が取り付けられるため、コーナーパネルを後から取り付けることが出来る。このため、建物の外壁を構成する際に外壁パネルとの取付順序が制限されることがなく、施工の自由度を高めることが出来る。
【００１９】
また本発明に係る第３のコーナーパネルの取付構造は、躯体の柱にコーナーパネルを取り付ける取付構造であって、柱の角部に該角部に沿った軸を中心として回動可能な固定ボルトを設けた柱固定金具と、コーナーパネルに於ける前記柱に対向する面に取り付けられ直角に配置されると共に夫々雌ネジを形成した２つの片を有するパネル固定金具と、前記パネル固定金具に設けた雌ネジに螺合し先端が柱に当接してコーナーパネルの柱の表面からの距離を調整する調整ネジと、を有し、予めコーナーパネルの角部に形成された孔に前記柱固定金具の固定ボルトを挿通すると共に前記パネル固定金具の２つの片に形成した雌ネジに調整ネジを螺合し、該調整ネジの先端を柱の表面に当接させてコーナーパネルの柱に対する距離を調整した後、固定ボルトにナットを締結してコーナーパネルを柱に取り付けるものである。
【００２０】
上記取付構造では、柱固定金具を柱に取り付けることによって、柱の角部に該角部に沿った軸を中心として回動可能な固定ボルトを取り付けることが出来る。またコーナーパネルに於ける柱に対向する面（裏面）にパネル固定金具の２つの片に形成された雌ネジに調整ボルトを螺合しておき、このコーナーパネルの角部に形成した孔に固定ボルトを挿通してコーナーパネルを柱側に接近させると、調整ボルトの先端が柱に当接してコーナーパネルの移動が停止する。従って、調整ボルトを回転させてパネル固定金具の片からの出寸法を調整することによって、コーナーパネルの柱からの離隔寸法を設定することが出来る。
【００２１】
コーナーパネルを構成する２つの片と柱との距離が異なる値となる場合、柱の角部とコーナーパネルの角部は直線上にないことになる。この場合、固定ボルトが柱の角部に沿った軸を中心として回動することで、前記ズレを吸収することが出来る。
【００２２】
従って、コーナーパネルの柱からの距離を調整ボルトの長さや固定ボルトの長さの範囲内で調整することが可能となり、建物の外壁を構成する際に、先に壁パネルを取り付けてある場合でも、この壁パネルの取付姿勢に対応させてコーナーパネルを取り付けることが出来る。このため、工程順序に制限がなくなり、自由度の高い工程とすることが出来る。
【００２３】
また本発明に係る取付金具は、柱の角部に該角部に沿った軸を中心として回動可能な固定ボルトを設けた柱固定金具と、コーナーパネルの柱に対向する面に取り付けられ直角に配置されると共に夫々雌ネジを形成した２つの片を有するパネル固定金具と、前記パネル固定金具に設けた雌ネジに螺合し先端が柱に当接してコーナーパネルの柱の表面からの距離を調整する調整ネジとを有して構成されるものである。
【００２４】
上記取付金具では、柱固定金具の柱に対する寸法を適宜設定することで、該柱に１本〜４本のコーナーパネルを取り付ける場合でも、同一の金具を利用することが出来る。このため、汎用性の高い取付金具とし、作業性を向上させると共に部品点数を増加させることのない金具を構成することが出来る。
【００２５】
【発明の実施の形態】
以下、本発明に係るコーナーパネル及びコーナーパネルの取付構造の好ましい実施形態について説明し、合わせて取付金具の構成について説明する。本発明に係るコーナーパネルは、直交して配置された二つの片の頂点から裏面側に向けて４５度に貫通させた貫通孔を形成し、この貫通孔にボルトを挿通することで、該ボルトを、或いはナットを外面側から操作して締結することで取り付けることを実現したものである。
【００２６】
上記コーナーパネルでは、予め躯体にナット或いはボルトの頭部を取り付けておき、ナットを取り付けた場合には、貫通孔に外面側からボルトを挿通してナットに螺合することで取り付けることが可能であり、またボルトを取り付けた場合には、該ボルトを貫通孔に挿通して外面側からナットを螺合することで取り付けることが可能である。
【００２７】
従って、コーナーパネルを躯体に取り付ける作業を外面側（屋外側）から行うことが可能となり、作業性を向上させることが可能である。
【００２８】
本発明に係る第１の取付構造では、コーナーパネルの裏面に接触する二つの接触面を有する接触金具を取り付けておき、この接触金具にコーナーパネルの貫通孔に挿通したボルトを螺合し、或いはこの接触金具に取り付けたボルトを貫通孔に挿通してナットを螺合することで、屋外側から操作してコーナーパネルを取り付けることが可能である。
【００２９】
上記の如く、コーナーパネルを躯体に取り付けるに際し、屋外側からの作業を行うことで、建物の外壁を構成する際に、外壁パネルとコーナーパネルの取付順序を制限する必要がなくなり、先ず、外壁パネルを躯体に取り付けた後、コーナーパネルを取り付けることが可能となる。そして、コーナーパネルを取り付ける作業を行う際に、外壁の二方向の通りを確認しつつ、コーナーパネルの各片を各外壁面の通り方向に沿うように調整することが可能である。
【００３０】
また本発明に係る第２のコーナーパネルの取付構造は、柱の角部に対向させて配置したコーナーパネルを取り付ける際に、コーナーパネルの柱からの離隔寸法を所望の値に調整し得るようにしたものである。特に、建物の出隅部に配置されるコーナーパネルや、独立した柱の周囲に配置される複数（例えば２個或いは４個）のコーナーパネルを取り付ける際に有利な構造として構成されている。
【００３１】
本発明に係る第２の取付構造では、コーナーパネルを柱から所望の離隔寸法を持って取り付けることが可能となるため、取り付けるべき柱の姿勢や躯体に対する取付状況の如何に関わらず、コーナーパネルの姿勢や壁面に於ける他の壁パネルの状況に対応させて取り付けることが可能となる。即ち、コーナーパネルを周囲の状況に応じて取り付けることが可能であり、壁面の躯体からの離隔寸法や取付姿勢に対する対応の自由度を向上することが可能である。
【００３２】
例えば、建物の外壁を構成する場合、最初にコーナーパネルを取り付けた後、該コーナーパネルを基準として壁パネルを取り付けるという工程順序に限定されることなく、先ず壁パネルを取り付けた後、コーナーパネルを柱からの離隔寸法を調整して取り付けることで、該コーナーパネルの表面を壁パネルの表面と同一平面内に設定することが可能となる。即ち、外壁を構成する際に、壁パネル，コーナーパネルの取付順序の制限がなくなり、工程を進める上での自由度を向上することが可能である。
【００３３】
また本発明に係る取付金具は、上記取付構造を好ましく実施し得るように構成されたものであり、柱に取り付けられ該柱の角部にコーナーパネルを固定する固定ボルトを設けた柱固定金具と、コーナーパネルの柱と対向する面（裏面）に取り付けられ直角に形成された２つの片を有するパネル固定金具と、パネル固定金具の各片に形成された雌ネジ（ネジ）に螺合する調整ネジとを有して構成されている。
【００３４】
柱固定金具は柱に固定されると共に固定ボルトを利用してコーナーパネルを固定するものであり、前記固定ボルトは柱の角部に沿った軸を中心として回動可能に構成されている。このため、固定ボルトをコーナーパネルの角部に形成した孔に挿通したとき、該コーナーパネルの柱に対する位置の変更に伴って回動することが可能である。
【００３５】
従って、コーナーパネルの柱からの離隔寸法の調整に伴って、該コーナーパネルの柱に対する位置が変化した場合であっても、固定ボルトはこの変化に対応することが可能である。
【００３６】
コーナーパネルの柱からの離隔寸法の調整は、コーナーパネルの裏面に取り付けたパネル固定金具の雌ネジに調整ネジを螺合し、この調整ネジの先端を柱に当接させて出入寸法を調整することで行うことが可能である。従って、パネル固定金具の直交する２つの片に形成した夫々のネジ毎に螺合した調整ネジによる調整を行うことで、コーナーパネルの夫々の片の柱からの離隔寸法を独立して設定することが可能である。
【００３７】
上記の如く、コーナーパネルの柱からの離隔寸法を調整することによって、外壁を構成する際の基準としてのコーナーパネルの位置と姿勢を設定することが可能であり、また既に交差する２方向の壁パネルが取り付けられている場合には、夫々の壁パネルの壁面と同一面となるように設定することが可能である。
【００３８】
次に、本発明に係るコーナーパネル及び第１，第２の取付構造及び取付金具の好ましい実施例について図を用いて説明する。図１はコーナーパネルの構成を説明する図である。図２は第１の取付構造を説明する図である。図３は第１の取付構造の他の例を説明する図である。図４は図３の取付構造の展開図である。図５は柱にコーナーパネルを取り付ける第２の取付構造に係る第１実施例を説明する図である。図６は第２の取付構造に係る第１実施例を展開して説明すると共に取付金具の構成を説明する展開図である。図７は第２の取付構造に係る第１実施例の要部の構成を示す図である。図８はコーナーパネルの柱からの離隔寸法を調整する方法を説明する図である。図９は調整に伴う柱とコーナーパネルとの位置関係を説明する図である。図10は第２の取付構造に係る第２実施例及び取付金具の構成を説明する図である。図11は第２の取付構造に係る第３実施例及び取付金具の構成を説明する図である。
【００３９】
先ず、図１によりコーナーパネル１の構成について説明する。コーナーパネル１は互いに直交し且つ取り付けるべき部位（例えば、外壁，ポーチやテラスに於ける柱等）の寸法に応じて予め設定された寸法を持った２つの片１ａを有しており、また取り付けるべき部位に応じた長さを有している。
【００４０】
コーナーパネル１の各片１ａが交差する頂部１ｃから裏面１ｂに向けて、貫通孔１ｄ及びザグリ孔１ｅが形成されている。貫通孔１ｄは、固定ボルト21，12を挿通する機能を有するものであり、コーナーパネル１の各片１ａの柱２からの離隔寸法が等しい場合には、各片１ａの頂部１ｃを起点として４５度方向に設定される。またザグリ孔１ｄは座金22，13を保持する座を有し、固定ボルト21，12にナット23，14を締結したときの力を支持する機能を有する。
【００４１】
次に、第１の取付構造について図２により具体的に説明する。図に於いて、柱部材20は例えばベランダ等の出隅部に配置された図示しない柱の端部に固定されるものであり、複数のボルト穴20ｂを設けたフランジ部材20ａと、コーナーパネル１を支持する支持片20ｃと、コーナーパネル１の小口面１ｆと対向する起立片20ｄを有して構成されている。
【００４２】
固定ボルト21はＬ字型に形成され、端部が支持部材24に回動可能に支持されている。この支持部材24は、コーナーパネル１の二つの裏面１ｂに接触する接触片24ａと、固定ボルト21を回動可能に支持する支持部24ｂと、フランジ部材20ａのボルト穴20ｂと一致するボルト穴24ｃを有しており、フランジ部材20ａに対し１本のボルト25を用いて固定されるように構成されている。従って、支持部材24は柱部材20のフランジ部材20ａに対し所望の姿勢を保持して固定されるようになっている。また固定ボルト21も支持部材24に垂直軸を中心として回動し得るように構成されている。
【００４３】
上記の如く構成された第１の取付構造では、予め柱部材20を出隅部に配置された図示しない柱に取り付けると共に支持部材24を固定しておき、コーナーパネル１の貫通孔１ｄを固定ボルト21に挿通して支持片20ｃに載置し、その後、ザグリ孔１ｄに座金22，ナット23を挿入して固定ボルト21に締結することで、コーナーパネル１を支持部材24に固定することが可能である。このとき、ボルト25を緩めておき、コーナーパネル１の各片１ａの表面１ｇを、該表面１ｇの延長上に設置された外壁面と一致するように調整した後、ボルト25を強固に締結することで、コーナーパネル１の取付位置を調整して固定することが可能である。
【００４４】
従って、コーナーパネル１を柱部材20に取り付ける作業を屋外側から行うことが可能であり、図示しない外壁パネルを躯体に取り付ける作業との施工順序が制限されることがない。
【００４５】
次に、第１の取付構造の他の例について図３，４により説明する。図に於いて、柱部材20は、予め設定された長さを有しており、長さ方向の両端部に夫々複数のボルト穴20ｂを設けたフランジ部材20ａが固定されている。そして各フランジ部材20ａには、夫々固定ボルト21を支持する固定金具26，27が１本のボルト25によって取り付けられている。
【００４６】
固定金具26は、コーナーパネル１の裏面１ｂに接触する二つの接触片26ａと、固定ボルト21を支持するネジ支持片26ｂと、フランジ部材20ａのボルト穴20ｂと一致するボルト穴26ｃを有して構成されており、柱部材20の上端に設けたフランジ部材20ａに固定される。また固定金具27は、コーナーパネル１の裏面１ｂに接触する二つの接触片27ａと、固定ボルト21を支持するネジ支持片27ｂと、フランジ部材20ａのボルト穴20ｂと一致するボルト穴27ｃと、コーナーパネル１を支持する支持片27ｄを有して構成されており、柱部材20の下端に設けたフランジ部材20ａに固定される。
【００４７】
本例では、柱部材20の上端側のフランジ部材20ａに対し１本のボルト25によって固定金具26を取り付けると共に、下端側のフランジ部材20ａに対し１本のボルト25によって固定金具27を取り付け、各固定金具26，27のネジ支持片26ｂ，27ｂに固定ボルト21を回転不能に取り付ける。その後、固定金具27の支持片27ｄにコーナーパネル１を載置すると共に貫通孔１ｄに各固定金具26，27に取り付けた固定ボルト21を貫通孔１ｄに挿通し、座金22，ナット23を締結することで、コーナーパネル１を固定金具26，27に固定する。
【００４８】
コーナーパネル１を固定金具26，27に固定した後、該コーナーパネル１の各片１ａの表面１ｇを、該表面１ｇの延長上に設置された外壁面と一致するように調整した後、ボルト25を強固に締結することで、コーナーパネル１を柱部材20に固定することが可能である。
【００４９】
従って、本例であっても、コーナーパネル１を柱部材20に取り付ける作業を屋外側から行うことが可能であり、図示しない外壁パネルを躯体に取り付ける作業との施工順序が制限されることがない。
【００５０】
次に、図５〜図９により、第２の取付構造に係る第１実施例と取付金具、及びコーナーパネルの柱からの離隔寸法を調整する手順を説明する。コーナーパネル１は、図５に示すように、長手方向の２箇所の設けたパネル固定金具Ａ，柱固定金具Ｂを介して、建物の躯体を構成する柱２に対し夫々矢印方向への位置を調整し得るように取り付けられている。
【００５１】
このように、コーナーパネル１を長手方向の２箇所で離隔寸法を調整し得るように柱２に取り付けることで、柱２に公差範囲内の傾きや位置ズレが生じているような場合であっても、この傾きや位置ズレを吸収して正確な位置に且つ正しい姿勢で取り付けることが可能となる。
【００５２】
コーナーパネル１は互いに直交し且つ取り付けるべき部位（例えば、外壁，ポーチやテラスに於ける柱等）の寸法に応じて予め設定された寸法を持った２つの片１ａを有しており、また取り付けるべき部位に応じた長さを有している。柱２と対向する面である裏面１ｂであって、長手方向の所定位置にパネル固定金具Ａが取り付けられ、該パネル固定金具Ａに形成されたネジ５ｄに対向する位置に切欠部１ｈが形成されている。この切欠部１ｈは、ネジ５ｄに調整ネジ７を螺合させ、或いは調整ネジ７を回転させる際に六角棒レンチを挿通する際に利用するものである。
【００５３】
本実施例に於いて、貫通孔１ｄはコーナーパネル１の各片１ａの柱２からの離隔寸法が等しい場合には、各片１ａの交差部を起点として４５度方向に設定される。しかし、各片１ａの柱２からの離隔寸法が異なる場合、固定ボルト12は前記角度から何れかに回動することになる。このため、貫通孔12は、固定ボルト12の前記回動に伴う相対的な傾斜を許容し得るように、該固定ボルト12の径よりも充分に大きい径を持って形成されている。
【００５４】
またザグリ孔１ｄは座金13を保持する座を有し、固定ボルト12にナット14を締結したときの力を支持する機能を有し、本実施例では、コーナーパネル１の柱２に対する位置によって固定ボルト12が貫通孔１ｄ，ザグリ孔１ｅに対し相対的な傾斜を発生するため、ザグリ孔１ｅの径も、ナット14の径に比較して充分に大きい値を持って形成されている。
【００５５】
パネル固定金具Ａは、互い直交して構成された２つの片５ａ，５ｂを有する折曲部材５と、折曲部材５をコーナーパネル１の裏面１ｂに取り付けるビス６とを有して構成されている。
【００５６】
コーナーパネル１に於けるパネル固定金具Ａの取付位置は特に限定するものではない。しかし、パネル固定金具Ａは、工場段階でコーナーパネル１の裏面１ｂに取り付けておくことが好ましい。このため、コーナーパネル１に於けるパネル固定金具Ａの取付位置は設計段階で設定される。従って、柱固定金具Ｂは建築現場で柱２に取り付けられる。
【００５７】
折曲部材５の各片５ａ，５ｂは長さがコーナーパネル１の裏面１ｂの寸法と略等しい長さを有しており、自由端に屈折部５ｃが形成されている。また各片５ａ，５ｂに於ける屈折部５ｃの近傍であってコーナーパネル１の各片１ａに形成した切欠部１ｈと対向する位置には、夫々雌ネジとなるネジ５ｄが形成されている。更に、折曲部材５の各片５ａ，５ｂの交差部で高さ方向の略中央には、コーナーパネル１に形成した貫通孔１ｄと連続した孔５ｅが形成されている。
【００５８】
上記の如く構成された折曲部材５をコーナーパネル１の裏面１ｂの予め設定された位置に配置すると共にビス６によってコーナーパネル１に締結することで、強固に固定してパネル固定金具Ａを構成することが可能である。このようにしてコーナーパネル１の裏面１ｂにパネル固定金具Ａを取り付けたとき、折曲部材５の孔５ｅとコーナーパネル１の貫通孔１ｄが連続して構成される。
【００５９】
パネル固定金具Ａのネジ５ｄには、夫々調整ネジ７が螺合される。この調整ネジ７は、先端が柱２に当接してパネル固定金具Ａ（コーナーパネル１）の柱２からの離隔寸法を調整する機能を有するものであり、この機能を有するネジであれば用いることが可能である。このような機能を有するネジとして、六角ボルトや六角穴付きボルト等があるが、これらのボルト類では頭部の寸法が大きく、これに伴ってコーナーパネル１の片１ａに形成した切欠部１ｈを大きくすることが必要となり、加工性の面や外観面から好ましくはない。
【００６０】
このため、調整ネジ７として、六角穴付き止めネジ（ホローセットネジ）を用いることが好ましい。このネジは、全体がネジ棒状に形成されレンチを挿入する六角穴がネジ径よりも小さく形成されるため、コーナーパネル１に形成した切欠部１ｈを調整ネジ７の径と略等しいか或いは僅かに大きい寸法で形成しておけば良く、外観面から好ましい。
【００６１】
調整ネジ７は長さがコーナーパネル１の柱２からの離隔寸法よりも充分に大きい長さを有しており、且つネジ部分に予め緩み防止用の薬剤が塗布されている。このため、コーナーパネル１の柱２からの離隔寸法を調整した後、特別な処理を施すことなく、長期間にわたって調整ネジ７の緩みを防止することが可能である。
【００６２】
柱固定金具Ｂは、柱２の予め設定された位置に固定され、該柱２の角部に沿った軸を中心として設けられた固定ボルト12をパネル固定金具Ａの孔５ｅ，コーナーパネル１の貫通孔１ｄ，ザグリ孔１ｅに挿通し、コーナーパネル１の柱２からの離隔寸法を調整して位置決めした後、座金13を介してナット14を締結することで、コーナーパネル１を柱２に固定するものである。
【００６３】
このため、柱固定金具Ｂは、山形に設けた２つの片10ａを有し該２つの片10ａの交差部に固定ボルト12を回動可能に設けて柱２の角部に配置される山形部材10と、山形部材10を柱２に固定するバンド11と、コーナーパネル１を取り付ける固定ボルト12と、座金13及び固定ボルト12に螺合してコーナーパネル１を締結するナット14と、を有して構成されている。
【００６４】
山形部材10は、互いに直交して山形に形成された２つの片10ａと、これらの片10ａの交差部に設けられ固定ボルト12を柱２の角部に沿った軸を中心として回動可能に取り付ける軸受部10ｂと、各片10ａの端部に設けられた屈折部10ｃ，10ｄと、を有し、各片10ａの端部に形成された屈折部10ｃ，10ｄには、互いに対応する位置に、且つ交互の位置となるようにネジ10ｅとネジ孔10ｆが形成されている。即ち、屈折部10ｃの上部にネジ10ｅが形成されている場合下部にはネジ孔10ｆが形成され、且つ屈折部10ｄの上部にネジ孔10ｆが形成されると共に下部にネジ10ｅが形成されている。
【００６５】
特に、山形部材10を構成する２つの片10ａは、柱２の面の幅方向の長さの半分と略等しいか、僅かに小さい寸法を持って形成されており、柱２に複数のコーナーパネル１を取り付ける際に、複数の山形部材10を柱２の角部に配置した場合であっても、隣設する山形部材10の片10ａが互いに干渉することがないように構成されている。
【００６６】
固定ボルト12は、柱２にコーナーパネル１を取り付けたときに該柱２の角部からコーナーパネル１の表面１ｇの角部に至る寸法よりも多少短い寸法を持って形成されている。また固定ボルト12を、柱２の角部に沿った軸（柱２の長手方向に沿った軸）を中心として回動させる機構は特に限定するものではなく、山形部材10の軸受部10ｂに柱２の角部に沿った方向の軸を設けると共に、固定ボルト12の端部に嵌合部を設けておき、この嵌合部と前記軸を嵌合させて回動し得るように構成することが可能である。
【００６７】
本実施例では、固定ボルト12を、軸部12ａとボルト部12ｂとからなるＬ字型に形成しておき、軸部12ａを山形部材10の軸受部10ｂに嵌合しておくことで、ボルト部12ｂを柱２の長手方向に沿った方向を中心として回動させるように構成している。特に、軸部12ａの長さを、山形部材10に形成された軸受部10ｂの長さよりも充分に長くしておくことで、コーナーパネル１に形成された貫通孔１ｄの位置と柱固定金具Ｂの取付位置の相対的な自由度を向上することが可能である。
【００６８】
即ち、予めコーナーパネル１にパネル固定金具Ａを取り付けると共に貫通孔１ｄを形成しておき、このコーナーパネル１を建築現場で柱２に取り付ける際に、該柱２に取り付けた柱固定金具Ｂの位置が多少ズレていたような場合であっても、固定ボルト12の軸部12ａの長さの範囲内であれば支障なく取り付けることが可能となる。
【００６９】
バンド11は、山形部材10を柱２に固定する機能を有するものである。バンド11は柱２に配置された山形部材10以外の柱面と相当する形状を持って屈折形成されており、両端部分に山形部材10の屈折部10ｃ，10ｄと対向する屈折部11ａ，11ｂが形成されている。そして屈折部11ａ，11ｂには、山形部材10の屈折部10ｃ，10ｄに形成されたネジ10ｅとネジ孔10ｆと対向する位置に、ネジ11ｃとネジ孔11ｄが形成されている。即ち、バンド11の屈折部11ａ，11ｂを山形部材10の屈折部10ｃに対向させたとき、互いのネジ10ｅ，11ｃとネジ孔10ｆ，11ｄが対向するように構成されている。
【００７０】
上記の如く構成された山形部材10とバンド11を柱２の周囲に配置し、夫々の屈折部10ｃと11ｂ，10ｄと11ａを対向させて、各屈折部に於けるネジ孔10ｆ，11ｄから固定ビス15を挿通して対向するネジ10ｅ，11ｃに螺合することで、山形部材10とバンド11を締結し、これにより柱固定金具Ｂを構成することが可能である。
【００７１】
特に、山形部材10の屈折部10ｃ，10ｄとバンド11の屈折部11ａ，11ｂを対向させたとき、上下方向にネジ孔10ｆ，11ｄとネジ10ｅ，11ｃが交互に配置されているため、前記対向した２つの屈折部（10ｃと11ｂ、10ｄと11ｃ）を中央に挟んで何れの側からでも固定ビス15を挿通することが可能であり、周囲の状況を考慮して最も作業し安い方向から固定ビス15による固定作業を行うことが可能である。
【００７２】
ネジ10ｅ，11ｃは、山形部材10の屈折片10ｃ，10ｄ及びバンド11の屈折片11ａ，11ｂに直接タップ加工し、或いはバリング加工した後タップ加工したものである。またネジ孔10ｆ，11ｄは、山形部材10の屈折片10ｃ，10ｄ及びバンド11の屈折片11ａ，11ｂに形成された、ネジ10ｅ，11ｃに螺合するネジ（固定ビス15）の径よりも大きく且つ該ネジの頭部の径よりも小さい孔によって構成されている。
【００７３】
次に、コーナーパネル１を柱２に取り付ける際の手順について説明する。先ず柱２に取り付けた柱固定金具Ｂの固定ボルト12を、予めパネル固定金具Ａを取り付けたコーナーパネル１の貫通孔１ｄに挿通して座金13，ナット14を螺合し、次いで、この状態で各調整ネジ７を回転させて先端を柱２に当接させると共にナット14を締めつけて各調整ネジ７と固定ボルト12に力を作用させることで、コーナーパネル１を柱２に仮固定する。
【００７４】
その後、コーナーパネル１の柱２からの離隔寸法を測定しながら、各調整ネジ７及び固定ボルト12を所定の方向（図４の矢印方向）に夫々回転させることで、コーナーパネル１の柱２からの離隔寸法を予め設定された寸法に調整して固定することが可能である。
【００７５】
このとき、調整ネジ７を回転させる作業は、作業者がコーナーパネル１の表面側に位置し、切欠部１ｈに長い六角レンチを通して調整ネジ７の六角穴に挿通した後、この六角レンチを回転することで行われる。このように、コーナーパネル１を柱２に取り付ける作業を表面１ｇ側から行うことで、作業者は広い場所にいて作業することが可能となり、作業性を向上すると共に安全性を向上することが可能である。
【００７６】
既に外壁に対応する壁パネルが取り付けられている場合、該壁パネルの表面を基準としてコーナーパネル１の柱２からの離隔寸法を調整し、コーナーパネル１の表面１ｇが外壁と同一面になったとき、コーナーパネル１を柱２に固定することが可能である。
【００７７】
コーナーパネル１の柱２からの離隔寸法を調整する手順について図５により説明する。同図（ａ）の状態を基準として同図（ｂ）に示すように、コーナーパネル１を柱２から矢印方向に同一寸法離隔させる場合、予めナット14を緩めておき各調整ネジ７を回転させて該調整ネジ７の出寸法を大きくすることで、コーナーパネル１の柱２からの離隔寸法を大きくすることが可能である。
【００７８】
そしてコーナーパネル１の柱２からの離隔寸法が予め設定された値と等しくなったとき、ナット14を締結することで、各調整ネジ７は先端が柱２に圧接し、且つ固定ボルト12はナット14の締結による引張力が作用してコーナーパネル１を柱２に強固に固定することが可能となる。
【００７９】
このように、コーナーパネル１の各片１ａを柱２から等しい寸法で離隔させた場合、該コーナーパネル１に形成された貫通孔１ｄ，ザグリ孔１ｅの中心線は、柱２の中心と角を結ぶ線の延長線と一致することになり、固定ボルト12の中心線も前記延長線と一致した状態となる。
【００８０】
また同図（ｃ）に示すように、コーナーパネル１を矢印方向に同一寸法接近させる場合、先ず、各調整ネジ７を緩めて出寸法を小さくし、次いでナット14を締めつけることで、コーナーパネル１を柱２に接近させることが可能である。そしてコーナーパネル１の柱２からの離隔寸法が予め設定された寸法と一致したとき、ナット14を締めつけることで、コーナーパネル１を柱２に固定することが可能である。
【００８１】
同図（ｄ）に示すように、コーナーパネル１を柱２に対し矢印方向にのみ離隔させる場合は、先ずナット14を緩め、その後、矢印側の調整ネジ７を回転させて出寸法を大きくすることで、コーナーパネル１を矢印方向に滑らせて、離隔寸法を調整することが可能である。このとき、図に於ける上にある調整ネジ７は柱２に沿って滑りを発生することになる。そしてコーナーパネル１の柱２からの離隔寸法が予め設定された寸法と一致したとき、ナット14を締めつけることで固定することが可能である。
【００８２】
このように、コーナーパネル１の柱２からの離隔寸法が方向によって異なる場合、コーナーパネル１の貫通孔１ｄ，ザグリ孔１ｅの中心線は、柱２の中心と角を結ぶ線の延長線と一致せず、両者は互いに平行な線となる。この場合、固定ボルト12が軸部12ａを中心として回動することで、前記各線のズレを吸収することが可能である。しかし、固定ボルト12は貫通孔１ｄの中心線に対し傾斜することとなり、この傾斜は貫通孔１ｄの直径の範囲で吸収される。
【００８３】
同図（ｅ）に示すように、コーナーパネル１を柱２に対し矢印方向にのみ接近させる場合、矢印側の調整ネジ７を緩めて出寸法を小さくし、コーナーパネル１を矢印方向に滑らせて、離隔寸法を調整することが可能である。このとき、図に於ける上にある調整ネジ７は柱２に沿って滑りを発生することになる。そしてコーナーパネル１の柱２からの離隔寸法が予め設定された寸法と一致したとき、ナット14を締めつけることで固定することが可能である。
【００８４】
このように、コーナーパネル１の柱２からの離隔寸法が方向によって異なる場合、コーナーパネル１の貫通孔１ｄ，ザグリ孔１ｅの中心線は、柱２の中心と角を結ぶ線の延長線と一致せず、両者は互いに平行な線となる。この場合、固定ボルト12が軸部12ａを中心として回動することで、前記各線のズレを吸収することが可能である。しかし、固定ボルト12は貫通孔１ｄの中心線に対し傾斜することとなり、この傾斜は貫通孔１ｄの直径の範囲で吸収される。
【００８５】
次に、第２の取付構造に係る第２実施例について図10により説明する。尚、図に於いて前述の実施例と同一の部分及び同一の機能を有する部分には同一の符号を付して説明を省略する。
【００８６】
本実施例は、柱２に２つのコーナーパネル１を取り付けたものである。各コーナーパネル１は前述の第１実施例と同一の構成を有しており、裏面１ｂに取り付けられるパネル固定金具Ａも同一の構成を有している。
【００８７】
柱２に取り付けられる柱固定金具Ｂは、夫々固定ボルト12を回動可能に設けた２つの山形部材10と、コ字状に形成されたバンド19とによって構成されている。バンド19の両端部には夫々屈折部21ａが形成されており、この屈折部21ａであって、山形部材10の屈折部10ｃに形成されたネジ10ｅ，ネジ孔ｆと対向する位置に夫々ネジ孔及びネジが形成されている。
【００８８】
上記２つの山形部材10及びバンド19は柱２の周囲に配置され、互いに対向した屈折片10ｃ，10ｄ及び21ａが固定ビス15によって互いに固定されることで、柱固定金具Ｂが構成されている。
【００８９】
特に、２つの山形部材10の接続部位では、互いの山形部材10に設けた屈折部10ｃ，10ｄどうしが対向し、これにより、上下方向にネジ孔10ｆとネジ10ｅが交互に配置され、対向した２つの屈折部（10ｃと10ｄ）を中央に挟んで何れの側からでも固定ビス15を挿通することが可能であり、周囲の状況を考慮して最も作業し易い方向から固定ビス15による固定作業を行うことが可能である。
【００９０】
即ち、屈折片10ｃでは下部にネジ10ｅが形成され、屈折片10ｄでは上部にネジ10ｅが形成されている。このように、交互のネジ10ｅを形成することによって、柱２の周囲に複数の山形部材10を配置するに際し、両側に隣設させた他の山形部材10を互いに同一のものを用いることが可能となり、且つ柱２の周囲に配置された複数の山形部材10を互いに固定ビス15によって連続して固定することが可能となる。従って、柱２に複数のコーナーパネル１を取り付ける場合であっても、１種類の山形部材10を用意することで充分である。
【００９１】
柱固定金具Ｂに設けられた２本の固定ボルト12に対し夫々コーナーパネル１が取り付けられており、且つ各コーナーパネル１に取り付けたパネル固定金具Ａに螺合した調整ネジ７の出寸法を調整することで、各コーナーパネル１は柱２からの離隔寸法を予め設定された寸法になるように調整されると共に固定されている。
【００９２】
このように、１本の柱２に２つのコーナーパネル１を取り付ける場合、柱固定金具Ｂのバンド19が変更させるものの、他の部材、パネル固定金具Ａを構成する屈折部材５，ビス６，調整ネジ７は第１実施例と同一のものを利用することが可能であり、且つ柱固定金具Ｂを構成する山形部材10，固定ボルト12も同一のものを利用することが可能である。
【００９３】
従って、部品点数が増加するとがなく、同一の部材を利用して、同一の手順で２つのコーナーパネル１を１本の柱２に取り付けることが可能である。
【００９４】
次に、第２の取付構造に係る第３実施例について図11により説明する。尚、図に於いて前述の各実施例と同一の部分及び同一の機能を有する部分には同一の符号を付して説明を省略する。
【００９５】
本実施例は、柱２に４つのコーナーパネル１を取り付けて周囲をコーナーパネル１で囲んだ独立した柱を構成したものである。各コーナーパネル１は前述の第１実施例と同一の構成を有しており、裏面１ｂに取り付けられるパネル固定金具Ａも同一の構成を有している。
【００９６】
柱２に取り付けられる柱固定金具Ｂは、夫々固定ボルト12を回動可能に設けた４つの山形部材10によって構成されている。そして４つの山形部材10の屈折部10ｃ，10ｄを対向させ、対向した屈折片10ｃ，10ｄを固定ビス15によって互いに固定することで、柱固定金具Ｂが構成されている。
【００９７】
特に、隣設する２つの山形部材10の接続部位では、互いの山形部材10に設けた屈折部10ｃ，10ｄどうしが対向し、これにより、上下方向にネジ孔10ｆとネジ10ｅが交互に配置され、対向した２つの屈折部（10ｃと10ｄ）を中央に挟んで何れの側からでも固定ビス15を挿通することが可能であり、周囲の状況を考慮して最も作業し易い方向から固定ビス15による固定作業を行うことが可能である。
【００９８】
柱固定金具Ｂに設けられた４本の固定ボルト12に対し夫々コーナーパネル１が取り付けられており、且つ各コーナーパネル１に取り付けたパネル固定金具Ａに螺合した調整ネジ７の出寸法を調整することで、各コーナーパネル１は柱２からの離隔寸法を予め設定された寸法になるように調整されると共に固定されている。
【００９９】
このように、１本の柱２に４つのコーナーパネル１を取り付ける場合、パネル固定金具Ａを構成する屈折部材５，ビス６，調整ネジ７は第１実施例と同一のものを利用することが可能であり、且つ柱固定金具Ｂを構成する山形部材10，固定ボルト12も同一のものを利用することが可能である。
【０１００】
従って、部品点数が増加するとがなく、同一の部材を利用して、同一の手順で４つのコーナーパネル１を１本の柱２に取り付けることが可能である。
【０１０１】
【発明の効果】
以上詳細に説明したように本発明に係るコーナーパネルでは、二つの片が交差する頂部から裏面に向けて４５度の貫通孔を形成し、この貫通孔にボルトを挿通して躯体に取り付けるようにしたので、コーナーパネルの取付作業を屋外側から行うことが出来る。
【０１０２】
また本発明に係る第１の取付構造では、コーナーパネルに形成した４５度の貫通孔にボルトを挿通して躯体に取り付けるので、該コーナーパネルの取付作業を屋外側から行うことが出来る。このため、作業が容易となり、且つ外壁パネルの取付作業との順序に制限されることがない。
【０１０３】
本発明に係る第２の取付構造では、コーナーパネルの柱からの離隔寸法を所望の値に調整することが出来る。このため、柱に公差範囲内の傾斜やズレが生じていた場合であっても、これらの傾斜やズレを吸収して正確な位置に設定して取り付けることが出来る。
【０１０４】
従って、コーナーパネルの柱からの離隔寸法の調整範囲が大きくなり、外壁を構成する際に、最初に柱にコーナーパネルを取り付けてこのコーナーパネルを基準として壁を構成することが可能となり、或いは最初に壁パネルを取り付けた後、端にコーナーパネルを取り付けて、該コーナーパネルを壁パネルの表面に一致させることが出来る。このため、外壁を構成する際の工程順序の自由度が向上し、作業性を向上することが出来る。
【０１０５】
またコーナーパネルを柱に取り付けるに際し、従来のように１箇所につき２本のボルトを用いることなく、角部に配置された固定ボルトを用いるため、締結力を適正な値とすることが出来る。特に、地震時に躯体が揺れた場合、柱の揺れとコーナーパネルの揺れとが一致しないことによる無理な力が作用することがなく、コーナーパネルの固定部分が破損することがない。
【０１０６】
本発明に係る取付金具では、上記取付構造を容易に実現することが出来る。特に、柱固定金具を柱に取り付ける作業はコーナーパネルの取り付けに先立って行うことが必要であるが、その後、柱に取り付けられた柱固定金具にコーナーパネルを取り付ける作業、及びコーナーパネルの柱からの離隔寸法を調整して該コーナーパネルの位置や姿勢を調整する作業は、コーナーパネルの表面側から行うことが出来る。
【０１０７】
このため、コーナーパネルの柱に対する取り付け、及び柱に対する離隔寸法や取付位置，取付姿勢等の調整作業を容易に、且つ安定した状態で行うことが出来る。
【図面の簡単な説明】
【図１】コーナーパネルの構成を説明する図である。
【図２】第１の取付構造を説明する図である。
【図３】第１の取付構造の他の例を説明する図である。
【図４】図３の取付構造の展開図である。
【図５】柱にコーナーパネルを取り付ける第２の取付構造に係る第１実施例を説明する図である。
【図６】第２の取付構造に係る第１実施例を展開して説明すると共に取付金具の構成を説明する展開図である。
【図７】第２の取付構造に係る第１実施例の要部の構成を示す図である。
【図８】コーナーパネルの柱からの離隔寸法を調整する方法を説明する図である。
【図９】調整に伴う柱とコーナーパネルとの位置関係を説明する図である。
【図10】第２の取付構造に係る第２実施例及び取付金具の構成を説明する図である。
【図11】第２の取付構造に係る第３実施例及び取付金具の構成を説明する図である。
【図12】従来の取付構造の例を説明する図である。
【符号の説明】
Ａ                    パネル固定金具
Ｂ                    柱固定金具
１                    コーナーパネル
１ａ                  片
１ｂ                  裏面
１ｃ                  頂部
１ｄ                  貫通孔
１ｅ                  ザグリ孔
１ｆ                  小口面
１ｇ                  表面
１ｈ                  切欠部
２                    柱
５                    折曲部材
５ａ，５ｂ            片
５ｃ                  屈折部
５ｄ                  ネジ
５ｅ                  孔
６                    ビス
７                    調整ネジ
10                    山形部材
10ａ                  片
10ｂ                  軸受部
10ｃ，10ｄ            屈折部
10ｅ                  ネジ
10ｆ                  ネジ孔
11，19                バンド
12                    固定ボルト
12ａ                  軸部
12ｂ                  ボルト部
13                    座金
14                    ナット
15                    固定ビス
20                    柱部材
20ａ                  フランジ部材
20ｂ                  ボルト穴
20ｃ                  支持片
21                    固定ネジ
22                    座金
23                    ナット
24                    支持部材
24ａ                  接触片
24ｂ                  支持部
24ｃ                  ボルト穴
25                    ボルト
26，27                固定金具
26ａ，27ａ            接触片
26ｂ，27ｂ            ネジ支持片
26ｃ，27ｃ            ボルト穴
27ｄ                  支持片
【図１】
0004131661.tif 000002
【図２】
0004131661.tif 000003
【図３】
0004131661.tif 000004
【図４】
0004131661.tif 000005
【図５】
0004131661.tif 000006
【図６】
0004131661.tif 000007
【図７】
0004131661.tif 000008
【図８】
0004131661.tif 000009
【図９】
0004131661.tif 000010
【図１０】
0004131661.tif 000011
【図１１】
0004131661.tif 000012
【図１２】
0004131661.tif 000013